【手続補正書】
【提出日】平成17年10月4日(2005.10.4)
【手続補正１】
【補正対象書類名】明細書
【補正対象項目名】特許請求の範囲
【補正方法】変更
【補正の内容】
【特許請求の範囲】
【請求項１】
波長λ１の第１光源からの光束を用いて厚さｔ１の第１保護基板を有する第１光情報記録媒体に対する情報の再生及び／または記録を行い、波長λ２（λ１＜λ２）の第２光源からの光束を用いて厚さｔ２（ｔ２＞ｔ１）の第２保護基板を有する第２光情報記録媒体に対する情報の再生及び／または記録を行い、波長λ３（λ２＜λ３）の第３光源からの光束を用いて厚さｔ３（ｔ３＞ｔ２）第３保護基板を有する第３光情報記録媒体に対する情報の再生及び／または記録を行う光ピックアップ装置であって、
前記光ピックアップ装置は、前記第１光情報記録媒体乃至前記第３光情報記録媒体に対する情報の再生及び／または記録について１つのレンズ群から構成される共通の対物レンズを用い、
前記第１保護基板乃至第３保護基板の厚さの違いに起因して変化する球面収差を補正するための基板厚差補正手段を有することを特徴とする光ピックアップ装置。
【請求項２】
前記第１光源乃至第３光源からの各光束がすべて通過する共通の光路に前記基板厚差補正手段を配置することを特徴とする請求項１に記載の光ピックアップ装置。
【請求項３】
前記第１光情報記録媒体乃至前記第３光情報記録媒体に対する情報の再生及び／または記録を行うのに必要な前記対物レンズの所定の像側開口数をそれぞれＮＡ１、ＮＡ２、ＮＡ３としたとき、前記第１光源の波長λ１、前記第２光源の波長λ２、前記第３光源の波長λ３、前記第１保護基板の厚さｔ１、前記第２保護基板の厚さｔ２、前記第３保護基板の厚さｔ３、及び、前記対物レンズの所定の像側開口数ＮＡ１、ＮＡ２、ＮＡ３が次式を満たすことを特徴とする請求項１または２に記載の光ピックアップ装置。
３５０ｎｍ＜λ１＜５５０ｎｍ
６００ｎｍ＜λ２＜７００ｎｍ
７００ｎｍ＜λ３＜８５０ｎｍ
０．０ｍｍ≦ｔ１＜０．３ｍｍ
０．５ｍｍ＜ｔ２＜０．７ｍｍ
１．０ｍｍ＜ｔ３＜１．３ｍｍ
０．９９＞ＮＡ１≧０．８０
０．８０＞ＮＡ２≧０．５５
０．５５＞ＮＡ３≧０．４０
【請求項４】
前記対物レンズの前記波長λ１における焦点距離をｆ１（ｍｍ）、中心厚さをｄ（ｍｍ）、前記対物レンズに入射する前記波長λ１の光束の径をΦ１（ｍｍ）、前記第３光情報記録媒体に対する情報の再生及び／または記録を行う場合の前記対物レンズの作動距離をｆＢ３（ｍｍ）としたとき、次式を満たすことを特徴とする請求項３に記載の光ピックアップ装置。
０．７＜ｄ／ｆ１＜１．５
２．８＜Φ１＜５．８
ｆＢ３＞０．２
【請求項５】
前記第３光情報記録媒体に対する情報の再生及び／または記録を行う場合の前記対物レンズの結像倍率をｍ３としたとき、次式を満たすことを特徴とする請求項３または４に記載の光ピックアップ装置。
−１＜ｍ３＜０
【請求項６】
前記第２光情報記録媒体に対する情報の再生及び／または記録を行う場合の前記対物レンズの結像倍率をｍ２としたとき、次式を満たすことを特徴とする請求項３乃至５のいずれか１項に記載の光ピックアップ装置。
−１＜ｍ２＜０
【請求項７】
前記基板厚差補正手段は、同心円状の複数の輪帯からなる回折構造が形成された少なくとも１つの回折面を有することを特徴とする請求項１乃至６のいずれか１項に記載の光ピックアップ装置。
【請求項８】
前記回折構造は前記対物レンズの少なくとも１つの光学面上に形成されたことを特徴とする請求項７に記載の光ピックアップ装置。
【請求項９】
前記基板厚差補正手段は、光軸方向に変移することで、前記対物レンズに入射する光束のマージナル光線の傾角を変化させることができる少なくとも１つの可動光学素子と、前記可動光学素子を光軸方向に変移させるための駆動手段と、を備えることを特徴とする請求項１乃至６のいずれか１項に記載の光ピックアップ装置。
【請求項１０】
前記基板厚差補正手段は、少なくとも１つの屈折率分布可変材料層と、電場または磁場または熱を印加するための印加手段と、を備え、前記屈折率分布可変材料層に前記印加手段により電場または磁場または熱を印加することにより前記屈折率分布可変材料層の屈折率分布を変化させることを特徴とする請求項１乃至９のいずれか１項に記載の光ピックアップ装置。
【請求項１１】
前記第１光情報記録媒体に情報の再生及び／または記録を行う場合の前記対物レンズの結像倍率をｍ１、前記第２光情報記録媒体に情報の再生及び／または記録を行う場合の前記対物レンズの結像倍率をｍ２、前記第３光情報記録媒体に情報の再生及び／または記録を行う場合の前記対物レンズの結像倍率をｍ３としたとき、前記ｍ１、ｍ２、ｍ３のうち少なくとも２つの結像倍率の値を異なるようにすることで、前記第１保護基板乃至第３保護基板の厚さの違いに起因して変化する球面収差を補正することを特徴とする請求項１乃至１０のいずれか１項に記載の光ピックアップ装置。
【請求項１２】
前記第１光情報記録媒体に対する情報の再生及び／または記録を行うのに必要な前記対物レンズの所定の像側開口数ＮＡ１が０．８以上であって、
前記第１保護基板乃至第３保護基板のうち、前記第１保護基板の厚さ誤差に起因して変化する球面収差を補正するための基板厚誤差補正手段を、前記第１光源からの光束が通過する光路中に有することを特徴とする請求項１乃至１１のいずれか１項に記載の光ピックアップ装置。
【請求項１３】
前記第１光情報記録媒体は、同一光束入射面側に複数の情報記録層を有する構造を有し、
前記第１光情報記録媒体の各々の情報記録層の情報記録面に、前記第１光源からの光束を集光させる際に、前記第１光情報記録媒体の光束入射面から各々の情報記録面までの保護基板の厚さの違いに起因して変化する球面収差を、前記基板厚誤差補正手段で補正することを特徴とする請求項１２に記載の光ピックアップ装置。
【請求項１４】
前記基板厚誤差補正手段は、光軸方向に変移することで、前記対物レンズに入射する前記第１光源からの光束のマージナル光線の傾角を変化させることができる少なくとも１つの可動光学素子と、前記可動光学素子を光軸方向に変移させるための駆動手段と、を備えることを特徴とする請求項１２または１３に記載の光ピックアップ装置。
【請求項１５】
前記基板厚差補正手段は、少なくとも１つの屈折率分布可変材料層と、電場または磁場または熱を印加するための印加手段と、を備え、前記屈折率分布可変材料層に前記印加手段により電場または磁場または熱を印加することにより前記屈折率分布可変材料層の屈折率分布を変化させることを特徴とする請求項１２または１３に記載の光ピックアップ装置。
【請求項１６】
前記第１光源の波長λ１が５５０ｎｍより短く、
前記第１光源の微少な波長変化に起因する前記対物レンズの色収差を補正するための色収差補正手段を、前記第１光源からの光束が通過する光路中に有することを特徴とする請求項１乃至１５のいずれか１項に記載の光ピックアップ装置。
【請求項１７】
前記第１光源乃至第３光源からの各光束がすべて通過する共通の光路に、前記色収差補正手段を配置したことを特徴とする請求項１６に記載の光ピックアップ装置。
【請求項１８】
前記色収差補正手段は、同心円状の複数の輪帯からなる回折構造を有し、前記回折構造に前記第１光源からの波長λ１の第１光束が入射した場合に発生する前記第１光束の回折光のうち、最大の回折光量を有する回折光の回折次数をｎ１、前記回折構造に前記第２光源からの波長λ２の第２光束が入射した場合に発生する前記第２光束の回折光のうち、最大の回折光量を有する回折光の回折次数をｎ２、前記回折構造に前記第３光源からの波長λ３の第３光束が入射した場合に発生する前記第３光束の回折光のうち、最大の回折光量を有する回折光の回折次数をｎ３とするとき、
｜ｎ１｜＞｜ｎ２｜≧｜ｎ３｜
を満たすことを特徴とする請求項１７に記載の光ピックアップ装置。
【請求項１９】
前記回折構造は前記対物レンズの少なくとも１つの光学面上に形成されたことを特徴とする請求項１８に記載の光ピックアップ装置。
【請求項２０】
前記第１光源からの光束のみが通過し、かつ、前記第２光源及び前記第３光源からの光束は通過しない光路に、前記色収差補正手段を配置したことを特徴とする請求項１６に記載の光ピックアップ装置。
【請求項２１】
前記色収差補正手段は、相対的にアッベ数の大きい正レンズ群と相対的にアッベ数の小さい負レンズ群とから構成され、前記正レンズ群のアッベ数νｄＰ及び前記負レンズ群のアッベ数νｄＮが次式を満たすことを特徴とする請求項２０に記載の光ピックアップ装置。
νｄＰ＞５５
νｄＮ＜３５
【請求項２２】
前記第１光情報記録媒体乃至前記第３光情報記録媒体に対する情報の再生及び／または記録を行うのに必要な前記対物レンズの所定の像側開口数をそれぞれＮＡ１、ＮＡ２、ＮＡ３としたとき、
ＮＡ１＞ＮＡ２＞ＮＡ３
を満たし、前記ＮＡ１とＮＡ２とＮＡ３との開口切替手段を備えることを特徴とする請求項１乃至２１のいずれか１項に記載の光ピックアップ装置。
【請求項２３】
前記開口切替手段は、前記第１光源乃至前記第３光源からの各光束がすべて通過する共通の光路に配置されることを特徴とする請求項２２に記載の光ピックアップ装置。
【請求項２４】
前記開口切替手段は、前記対物レンズの少なくとも１つの光学面上に形成されたことを特徴とする請求項２２または２３に記載の光ピックアップ装置。
【請求項２５】
前記開口切替手段は、前記対物レンズの光束入射面側に配置されるとともに、前記対物レンズと一体となってトラッキングを行うことを特徴とする請求項２３に記載の光ピックアップ装置。
【請求項２６】
前記対物レンズは、前記像側開口数ＮＡ１と前記第１保護基板の厚さｔ１と前記第１光源の波長λ１との組合せにおいて球面収差が最小となるように収差補正され、前記第２光情報記録媒体に対する情報の再生及び／または記録を行う場合に、前記第２保護基板と前記第１保護基板との厚さの違いに起因して変化する球面収差を前記基板厚差補正手段で補正するとともに、前記第３光情報記録媒体に対する情報の再生及び／または記録を行う場合に、前記第３保護基板と前記第１保護基板との厚さの違いに起因して変化する球面収差を前記基板厚差補正手段で補正することを特徴とする請求項１乃至２５のいずれか１項に記載の光ピックアップ装置。
【請求項２７】
前記第１光源乃至第３光源のうち少なくとも２つの光源はユニット化されたことを特徴とする請求項１乃至２６のいずれか１項に記載の光ピックアップ装置。
【請求項２８】
前記基板厚差補正手段と、前記基板厚誤差補正手段と、前記色収差補正手段と、前記開口切替手段のうち、少なくとも２つは一体化されたことを特徴とする請求項１乃至２７のいずれか１項に記載の光ピックアップ装置。
【請求項２９】
請求項１乃至２８のいずれか１項に記載の光ピックアップ装置を搭載したことを特徴とする、音声、及び／または、画像の記録装置、及び／または、音声、及び／または、画像の再生装置。